(57)【要約】【課題】熱源を設定された加熱時間の経過後に停止させる制御部を備えた加熱調理器において、被加熱物の過熱を防止し、安全性を向上させた加熱調理器を提供すること。【解決手段】時間設定部３を露出させたり隠蔽させたりできる開閉部３０を備え、制御部Ｃ１は、所定の加熱時間の経過後に熱源１１，２１を停止させる安全タイマモードと、時間設定部３で任意に設定可能な加熱時間の経過後に熱源１１，２１を停止させるタイマ調理モードとを実行させ得る実行手段と、開閉部３０を閉じて時間設定部３を隠蔽させた場合は、安全タイマモードを選択する一方、開閉部３０を開いて時間設定部３を露出させた場合は、タイマ調理モードを選択する選択手段とを備えたこと。【選択図】図２
2008202935.tif 000002
【特許請求の範囲】
【請求項１】
熱源を設定された加熱時間の経過後に停止させる制御部を備えた加熱調理器において、
時間設定部を露出させたり隠蔽させたりできる開閉部を備え、
前記制御部は、所定の加熱時間の経過後に前記熱源を停止させる安全タイマモードと、前記時間設定部で任意に設定可能な加熱時間の経過後に前記熱源を停止させるタイマ調理モードとを実行させ得る実行手段と、
前記開閉部を閉じて前記時間設定部を隠蔽させた場合は、前記安全タイマモードを選択する一方、前記開閉部を開いて前記時間設定部を露出させた場合は、前記タイマ調理モードを選択する選択手段とを備えた、加熱調理器。
【請求項２】
熱源を設定された加熱時間の経過後に停止させる制御部を備えた加熱調理器において、
前記制御部は、時間設定部で任意に設定可能な信号出力時間の経過後にタイムアップ信号を出力するタイマ機能部と、
前記タイムアップ信号が出力されるまで前記熱源を作動させるタイマ調理モードと、前記タイムアップ信号が出力されたときに報知手段によって報知させる報知モードとを実行させ得る実行手段と、
前記タイマ調理モードと前記報知モードとを切り替える選択手段とを備えた、加熱調理器。
【請求項３】
請求項２に記載の加熱調理器において、
前記時間設定部と前記報知手段と前記制御部とを具備し且つ加熱調理器本体に対して着脱自在に取り付けられる操作ユニットと、
前記操作ユニットの着脱状態を検知する着脱検知部とを備え、
前記選択手段は、前記操作ユニットが加熱調理器本体に取り付けられているときは、前記タイマ調理モードを選択する一方、前記操作ユニットが加熱調理器本体に取り付けられていないときは、前記報知モードを選択する、加熱調理器。
【請求項４】
請求項２または３に記載の加熱調理器において、
所定の加熱時間の経過後に前記熱源を停止させる安全タイマモードを実行させる補助制御部を備え、
前記制御部は、前記報知モードが選択されているときは、前記補助制御部によって前記安全タイマモードを実行させる制御手段を備えた、加熱調理器。
【請求項５】
請求項１から４のいずれかに記載の加熱調理器において、
前記タイマ調理モードが選択された状態で前記熱源を作動させた場合は、前記熱源を作動させた時点から前記時間設定部で設定した時間の計測を開始させる制御手段を備えた、加熱調理器。
【請求項６】
請求項１から４のいずれかに記載の加熱調理器において、
前記タイマ調理モードが選択され且つ熱源を作動させた状態で、前記時間設定部によって時間を設定した場合は、前記時間設定部によって時間を設定した時点から前記時間設定部で設定した時間の計測を開始させる制御手段を備えた、加熱調理器。
【請求項７】
請求項１または４に記載の加熱調理器において、
前記タイマ調理モードが選択され且つ熱源を作動させた状態で、所定時間内に前記時間設定部によって時間を設定した場合は、前記時間設定部によって時間を設定した時点から前記時間設定部で設定した時間の計測を開始させる一方、前記タイマ調理モードが選択され且つ熱源を作動させた状態で、所定時間内に前記時間設定部によって時間が設定されない場合は、前記所定時間の経過後に前記安全タイマモードを実行して前記所定の加熱時間の計測を開始させる制御手段を備えた、加熱調理器。
【請求項８】
請求項６に記載の加熱調理器において、
前記タイマ調理モードが選択され且つ熱源を作動させた状態で、所定時間内に前記時間設定部によって時間が設定されない場合は、前記所定時間の経過後に前記熱源を停止させる制御手段を備えた、加熱調理器。
【発明の詳細な説明】
【技術分野】
【０００１】
本発明は、熱源のタイマ制御機能を備えた加熱調理器に関するものである。
【背景技術】
【０００２】
従来の加熱調理器において、設定時間に熱源を自動停止させて調理物の焼け過ぎや煮過ぎ等を防止する調理タイマを備えたものが知られている（例えば、特許文献１参照）。
図８は、この種の加熱調理器として例示するガスコンロの正面図であり、ガスコンロ本体Ａは、コンロバーナ７１を有するコンロ７，７と、グリルバーナ８１，８１を有するグリル８と、コンロ７，７およびグリル８のタイマ制御動作を設定できる操作パネル９と、コンロバーナ７１を点火・消火させる点消火ボタン７２，７２と、グリルバーナ８１，８１を点火・消火させる点消火ボタン８２と、コンロ７，７やグリル８の点火・消火動作を制御する制御部Ｃとを備えている。
【０００３】
操作パネル９には、コンロバーナ７１およびグリルバーナ８１，８１の燃焼時間（以下、「加熱時間」という）を増減するプラスキー９ａおよびマイナスキー９ｂと、上記加熱時間を表示する表示部９３とが設けられており、制御部Ｃには、加熱時間の経過後にコンロバーナ７１やグリルバーナ８１，８１を消火させるタイマ動作を実行するマイクロコンピュータが収容されている。
【０００４】
このものでは、例えば、プラスキー９ａやマイナスキー９ｂを操作してグリルバーナ８１，８１の加熱時間を設定すれば、その設定された加熱時間の経過後にグリルバーナ８１，８１を消火させることができる。加熱時間を設定しない場合は、手動で消火させるまで継続的に燃焼される。
【特許文献１】特開平９−７９５８４号公報（第３−４頁、第１−２図）
【発明の開示】
【発明が解決しようとする課題】
【０００５】
また、デザイン上の見地から種々の操作部や表示部等を隠す目的で、操作パネルを加熱調理器本体内に隠蔽できる開閉部を備えた上記従来の加熱調理器があり（図９参照）、このものでは、開閉部９０を閉じた場合、操作パネル９がガスコンロ本体Ａ内に隠蔽されるため、加熱時間を設定し忘れやすい。この状態で、使用者が消し忘れた場合は、鍋やフライパン等の被加熱物の過熱を招くおそれがある。
【０００６】
一方、図８に示す上記従来の加熱調理器において、上記操作パネル９を、設定した時間に報知する単なる報知タイマとして使用する目的で、設定した時間に報知手段によって報知させる報知用の制御部を搭載させることができるが、制御部Ｃとは別に報知用の制御部を設けた場合は、部品コストが高くなる。
本発明は係る点に鑑みてなされたもので、
『熱源を設定された加熱時間の経過後に停止させる制御部を備えた加熱調理器』において、請求項１の課題は、被加熱物の過熱を防止し、安全性を向上させた加熱調理器を提供することであり、請求項２の課題は、多機能化に伴う部品コストの増大を抑制した加熱調理器を提供することである。
【課題を解決するための手段】
【０００７】
上記課題を解決するための本発明の技術的手段は、
『時間設定部を露出させたり隠蔽させたりできる開閉部を備え、
前記制御部は、所定の加熱時間の経過後に前記熱源を停止させる安全タイマモードと、前記時間設定部で任意に設定可能な加熱時間の経過後に前記熱源を停止させるタイマ調理モードとを実行させ得る実行手段と、
前記開閉部を閉じて前記時間設定部を隠蔽させた場合は、前記安全タイマモードを選択する一方、前記開閉部を開いて前記時間設定部を露出させた場合は、前記タイマ調理モードを選択する選択手段とを備えた』ことである。
上記技術手段によれば、開閉部が閉じた状態では安全タイマモードが選択され、開閉部が開いた状態ではタイマ調理モードが選択されるから、開閉部を開いて時間設定部を露出させた場合は、任意に加熱時間を設定することができる一方、開閉部が閉じられた状態で時間設定部が隠蔽していても、所定の加熱時間で加熱される。従って、開閉部を閉じた状態で使用しても、被加熱物が過熱状態で放置されるのを防止することができる。
【０００８】
また、調理物に適した加熱時間に熱源を自動的に停止させたい場合は、開閉部を開いて加熱時間を任意に設定すれば、その設定した加熱時間の経過後に熱源を停止させることができる。
【０００９】
請求項２に係る発明の技術的手段は、
『前記制御部は、時間設定部で任意に設定可能な信号出力時間の経過後にタイムアップ信号を出力するタイマ機能部と、
前記タイムアップ信号が出力されるまで前記熱源を作動させるタイマ調理モードと、前記タイムアップ信号が出力されたときに報知手段によって報知させる報知モードとを実行させ得る実行手段と、
前記タイマ調理モードと前記報知モードとを切り替える選択手段とを備えた』ことである。
【００１０】
このものでは、前記制御部の実行手段によってタイマ調理モードと報知モードとを実行することができ、タイマ調理モードが選択された状態でタイマ機能部からのタイムアップ信号が出力された場合は、熱源が停止される一方、報知モードが選択された状態で前記タイムアップ信号が出力された場合は、報知手段によって報知される。即ち、一つの制御部でタイマ調理モードと報知モードとを切り替えて実行させることができる。
選択手段によって報知モードを選択した場合は、信号出力時間の経過後に報知させることができるから、前記タイマ機能部を加熱調理器の用途とは別の用途で使用することができる。
【００１１】
請求項３に係る発明の技術的手段は、
前記請求項２において、
『前記時間設定部と前記報知手段と前記制御部とを具備し且つ加熱調理器本体に対して着脱自在に取り付けられる操作ユニットと、
前記操作ユニットの着脱状態を検知する着脱検知部とを備え、
前記選択手段は、前記操作ユニットが加熱調理器本体に取り付けられているときは、前記タイマ調理モードを選択する一方、前記操作ユニットが加熱調理器本体に取り付けられていないときは、前記報知モードを選択する』ことである。
【００１２】
このものでは、操作ユニットが加熱調理器本体に取り付けられた状態ではタイマ調理モードが選択され、操作ユニットが加熱調理器本体から取り外された状態では報知モードが選択される。
【００１３】
従って、調理物に適した加熱時間に熱源を自動的に停止させたい場合は、操作ユニットを加熱調理器本体に取り付けた状態で、時間設定部によって任意に設定可能な信号出力時間の経過後に熱源を停止させることができるし、操作ユニットを単なる報知タイマとして使用したい場合は、操作ユニットを加熱調理器本体から取り外して信号出力時間をセットすれば、上記信号出力時間に報知手段によって報知させることができる。
【００１４】
また、時間設定部と報知手段と制御部とは、操作ユニットに設けられているから、操作ユニットを加熱調理器本体から取り外せば、任意に設定した時間に報知させる報知機能を加熱調理器本体から離れた場所で利用することができる。
【００１５】
請求項４に係る発明の技術的手段は、
前記請求項２または３において、
『所定の加熱時間の経過後に前記熱源を停止させる安全タイマモードを実行させる補助制御部を備え、
前記制御部は、前記報知モードが選択されているときは、前記補助制御部によって前記安全タイマモードを実行させる制御手段を備えた』ことである。
このものでは、制御部によって報知モードが選択されている場合は、補助制御部によって安全タイマモードが実行されて所定の加熱時間で熱源が停止されるから、被加熱物が過熱状態で放置されるのを防止することができる。
【００１６】
請求項５に係る発明の技術的手段は、
前記請求項１から４のいずれかにおいて、
『前記タイマ調理モードが選択された状態で前記熱源を作動させた場合は、前記熱源を作動させた時点から前記時間設定部で設定した時間の計測を開始させる制御手段を備えた』ことである。
このものでは、熱源を作動させた時点で加熱時間の計測が開始されるから、熱源が作動したままで長時間放置されるのを防止することができるとともに、調理物の過熱も防止できる。
【００１７】
請求項６に係る発明の技術的手段は、
前記請求項１から４のいずれかにおいて、
『前記タイマ調理モードが選択され且つ熱源を作動させた状態で、前記時間設定部によって時間を設定した場合は、前記時間設定部によって時間を設定した時点から前記時間設定部で設定した時間の計測を開始させる制御手段を備えた』ことである。
このものでは、時間設定部によって加熱時間を設定した時点で加熱時間の計測が開始されるから、予熱運転や空焼き運転等を実施した後に加熱時間の計測を開始させることができる。
【００１８】
請求項７に係る発明の技術的手段は、
前記請求項１または４において、
『前記タイマ調理モードが選択され且つ熱源を作動させた状態で、所定時間内に前記時間設定部によって時間を設定した場合は、前記時間設定部によって時間を設定した時点から前記時間設定部で設定した時間の計測を開始させる一方、前記タイマ調理モードが選択され且つ熱源を作動させた状態で、所定時間内に前記時間設定部によって時間が設定されない場合は、前記所定時間の経過後に前記安全タイマモードを実行して前記所定の加熱時間の計測を開始させる制御手段を備えた』ことである。
このものでは、熱源が作動しているにもかかわらず、所定時間内に任意の加熱時間を設定しなかった場合は、安全タイマモードが実行されて所定の加熱時間の計測が開始され、その加熱時間の経過後に停止されるから、被加熱物が過熱状態で放置されるのを防止することができる。
【００１９】
請求項８に係る発明の技術的手段は、
前記請求項６において、
『前記タイマ調理モードが選択され且つ熱源を作動させた状態で、所定時間内に前記時間設定部によって時間が設定されない場合は、前記所定時間の経過後に前記熱源を停止させる制御手段を備えた』ことである。
このものでは、熱源が作動しているにもかかわらず、所定時間内に任意の加熱時間を設定しなかった場合には、熱源を停止させるから、熱源が作動したままで長時間放置されるのを防止することができる。
【発明の効果】
【００２０】
本発明は、上記構成であるから次の特有の効果を有する。
開閉部を開いて加熱時間を任意に設定すれば、その設定した加熱時間の経過後に熱源を自動停止させることができる一方、開閉部を閉じた状態で使用しても、所定の加熱時間の経過後に熱源が自動停止され、使用者の消し忘れによる被加熱物の過熱を防止することができるから、安全性が向上する。
【００２１】
請求項２に係る発明では、一つの制御部でタイマ調理モードと報知モードとを切り替えて実行させることができるから、部品コストの増大を抑制することができる。
また、選択手段によって報知モードを選択した場合は、前記タイマ機能部を加熱調理器の用途とは別の用途で使用することができるから、インスタントラーメンの調理時間等を報知させるのに有用である。
【００２２】
請求項３に係る発明では、上記請求項２の効果に加えて、操作ユニットを加熱調理器本体から取り外せば、ダイニングやリビング等、加熱調理器が設置されている場所以外の場所で上記報知機能を利用することができるから、インスタントラーメンの調理時間等を計測するのに一層有用である。
【００２３】
請求項４に係る発明では、報知モードが選択されている場合も、所定の加熱時間の経過後に自動的に停止させることができるから、安全性が向上する。
【００２４】
請求項５に係る発明では、熱源が作動したままで長時間放置されるのを防止することができるから、安全性が向上する。
【００２５】
請求項６に係る発明では、予熱運転や空焼き運転等を実施した後に熱源の加熱時間の計測を開始させることができるから、熱源を作動させた時点から計測されるものに比べて、調理物に適した加熱時間の設定が容易である。
【００２６】
請求項７に係る発明では、所定時間内に任意の加熱時間を設定しなかった場合にも、被加熱物が過熱状態で放置されるのを防止することができるから、安全性が一層向上する。
請求項８に係る発明では、上記請求項６の効果に加えて、所定時間内に任意の加熱時間を設定しなかった場合にも、熱源が作動したままで長時間放置されるのを防止することができるから、安全性が一層向上する。
【発明を実施するための最良の形態】
【００２７】
次に、上記した本発明を実施するための最良の形態について、添付図面を参照しながら詳述する。
【００２８】
図１は、本発明の実施の形態に係る加熱調理器として例示するガスコンロの斜視図であり、図２はその回路構造を示す説明図である。以下、各部の詳細を説明する。
【００２９】
図１に示すように、ガスコンロ本体Ａ１は、コンロバーナ１１を有するコンロ１，１と、グリルバーナ２１，２１を有するグリル２と、コンロ１，１およびグリル２のタイマ制御動作を設定させる操作パネル３と、コンロバーナ１１，１１を点火・消火させる点消火ボタン１２，１２と、グリルバーナ２１，２１を点火・消火させる点消火ボタン２２とを備えている。尚、上記コンロバーナ１１，１１およびグリルバーナ２１が既述請求項１の発明特定事項たる熱源に対応する。
【００３０】
操作パネル３には、後述するタイマ調理モード実行時に制御部Ｃ１によって設定されるコンロバーナ１１，１１やグリルバーナ２１，２１の燃焼時間（以下、「加熱設定時間」という）を設定可能な下限時間と上限時間との間で増減させるプラスキー３ａおよびマイナスキー３ｂと、上記加熱設定時間に基づくコンロバーナ１１，１１またはグリルバーナ２１，２１の燃焼残り時間を表示する表示部３３とが設けられている。尚、上記プラスキー３ａおよびマイナスキー３ｂが既述請求項１の発明特定事項たる時間設定部に対応し、上記「加熱設定時間」が既述請求項１の発明特定事項たる「任意に設定可能な加熱時間」に対応する。
【００３１】
ガスコンロ本体Ａ１の正面側には、上下に開閉する回転扉状の開閉部３０が設けられており、上記操作パネル３は該開閉部３０の上面に設けられている。即ち、操作パネル３は、開閉部３０を開けばガスコンロ本体Ａ１の外部へ露出し、閉じればガスコンロ本体Ａ１内へ隠蔽されるように構成されている。
【００３２】
また、ガスコンロ本体Ａ１内の開閉部３０近傍には、開閉部３０の開閉状態を検知する開閉センサ３２１が設けられており、開閉部３０を開くとオン信号を出力し、閉じるとオン信号が出力されないように設定されている。
【００３３】
図２に示すように、コンロ１には、高電圧を印加することによって放電する点火電極１３と、コンロバーナ１１の炎を検知する燃焼センサ１４と、コンロバーナ１１に供給されるガスを遮断できる電磁弁１５とが設けられており、グリル２には、点火電極２３と、グリルバーナ２１，２１の炎を検知して燃焼信号を出力する燃焼センサ２４と、グリルバーナ２１，２１に供給されるガスを遮断できる電磁弁２５とが設けられている。
【００３４】
ガスコンロ本体Ａ１内には、点消火ボタン１２，１２，２２を操作することによってオン／オフするスイッチ１２０，１２０，２２０や点火電極１３，１３，２３、燃焼センサ１４，１４，２４、電磁弁１５，１５，２５、プラスキー３ａ、マイナスキー３ｂ、表示部３３、開閉センサ３２１等が電気接続されるとともに、点消火ボタン１２，１２，２２を操作することによってコンロバーナ１１やグリルバーナ２１，２１を点火・消火させる制御部Ｃ１が収容されている。
【００３５】
制御部Ｃ１は、コンロバーナ１１またはグリルバーナ２１，２１の点火時からの燃焼時間を監視し、その燃焼時間が上記加熱設定時間または後述する過熱防止時間を経過した時点でタイムアップ信号を出力するタイマ機能部Ｔ１を備えるとともに、鍋や調理物等の被加熱物の過熱を防止できる燃焼時間（以下、「過熱防止時間」という）の経過後にコンロバーナ１１またはグリルバーナ２１，２１を消火させる制御モード（以下、「安全タイマモード」という）および、調理物に適した加熱設定時間の経過後にコンロバーナ１１またはグリルバーナ２１，２１を消火させる制御モード（以下、「タイマ調理モード」という）を実行するマイクロコンピュータが格納されている。尚、上記「過熱防止時間」が既述請求項１の発明特定事項たる「所定の加熱時間」に対応し、上記安全タイマモードおよびタイマ調理モードを実行する上記マイクロコンピュータの機能部が既述請求項１の発明特定事項たる「実行手段」に対応する。
【００３６】
上記タイマ調理モード実行時に設定される加熱設定時間の初期値は、調理物が適度に仕上がる標準的な時間（例えば、両面焼きグリルの場合で８分、片面焼きグリルの場合で１０分、コンロの場合で１５分）に設定されており、プラスキー３ａおよびマイナスキー３ｂを操作することによって、設定可能な下限時間（例えば、１分）から上限時間（例えば、両面焼きグリルの場合で１５分、片面焼きグリルの場合で２１分、コンロの場合で６０分）の範囲内で調理物に合わせた時間に変更することができる。上記安全タイマモード実行時に設定される過熱防止時間は、加熱設定時間の上限時間以上の所定値（例えば、両面焼きグリルの場合で２０分、片面焼きグリルの場合で３０分、コンロの場合で１２０分）に固定設定されている。
【００３７】
さらに、制御部Ｃ１に格納されるマイクロコンピュータは、開閉部３０の開閉状態に応じて上記安全タイマモードと上記タイマ調理モードとを切り替える制御動作を実行する機能部を備えており、開閉部３０が閉じた状態、即ち、開閉センサ３２１からオン信号が出力されていない場合は安全タイマモードを選択し、開閉部３０が開いた状態、即ち、開閉センサ３２１からオン信号が出力されている場合はタイマ調理モードを選択するように設定されている。尚、安全タイマモードとタイマ調理モードとの切替動作を実行する上記マイクロコンピュータの機能部が既述請求項１の発明特定事項たる「選択手段」に対応する。
【００３８】
また、制御部Ｃ１に格納されるマイクロコンピュータは、開閉センサ３２１からのオン信号が出力されているか否かにかかわらず、燃焼センサ１４，２４からの燃焼信号が出力された場合は、タイマ機能部Ｔ１によって定時毎（例えば、１分毎）に積算されるカウンタ値と加熱設定時間または過熱防止時間との差の監視を開始させる機能を備えている。尚、燃焼センサ１４，２４からの燃焼信号が出力された場合、カウンタ値と加熱設定時間または過熱防止時間との差の監視を開始させる上記マイクロコンピュータの機能部が既述請求項５の発明特定事項たる制御手段に対応する。
【００３９】
［上記実施形態に係るガスコンロの動作の実際］
次に、上記実施の形態に係るガスコンロにおいて、グリル２使用時の動作を説明する。
グリル２用の点消火ボタン２２を押すと、制御部Ｃ１によって電磁弁２５が開かれるとともに点火電極２３に高電圧が印加され、グリルバーナ２１，２１が点火される。
【００４０】
このとき、開閉センサ３２１からのオン信号が出力された状態、即ち、開閉部３０が開いた状態で、燃焼センサ２４からの燃焼信号が出力された場合は、制御部Ｃ１によってタイマ調理モードが実行され、加熱設定時間の初期値（例えば、８分）が設定されるとともに、タイマ機能部Ｔ１によって定時毎（例えば、１分毎）に積算されるカウンタ値と設定された加熱設定時間との差、即ち、グリルバーナ２１，２１の燃焼残り時間の監視が開始される。表示部３３には、上記燃焼残り時間が表示される。
【００４１】
そして、カウンタ値と設定された加熱設定時間との差がゼロになった時点で電磁弁２５を閉じ、グリルバーナ２１，２１が消火される。
【００４２】
一方、開閉センサ３２１からのオン信号が出力されていない状態、即ち、開閉部３０が閉じた状態で、燃焼センサ２４からの燃焼信号が出力された場合は、制御部Ｃ１によって安全タイマモードが実行され、過熱防止時間（例えば、２０分）が設定されるとともに、上記カウンタ値と過熱防止時間との差の監視が開始される。表示部３３はオフ状態になっている。
【００４３】
そして、カウンタ値と過熱防止時間との差がゼロになった時点で電磁弁２５を閉じ、グリルバーナ２１，２１が消火される。
【００４４】
これにより、調理物に適した加熱時間にグリルバーナ２１，２１を自動的に消火させたい場合は、開閉部３０を開いて操作パネル３を露出させた状態で点火すれば、タイマ調理モード実行時に設定される加熱設定時間（例えば、８分）に自動消火させることができる。また、開閉部３０が閉じられて操作パネル３を露出させていない状態で点火すれば、安全タイマモード実行時に設定されるグリル２の過熱防止時間（例えば、２０分）を経過すれば自動的に消火されるから、加熱設定時間の設定し忘れや、タイマ調理を意識しないでグリルバーナ２１，２１を点火しても、被加熱物が過熱状態で放置されるのを防止できる。
尚、上記実施の形態に係るガスコンロの動作は、グリル２の制御動作を例示したが、コンロ１の動作を制御する場合もグリル２の制御動作と同様に、タイマ調理モードによってコンロバーナ１１を自動的に消火させたい場合は、開閉部３０を開いた状態で点火すれば、タイマ調理モード実行時に設定される加熱設定時間（例えば、１５分）が設定され、その加熱設定時間に自動消火させることができる。また、開閉部３０を閉じた状態で点火すれば、安全タイマモードによってコンロ１の過熱防止時間（例えば、１２０分）が設定され、過熱防止時間を経過すれば消火されるから、加熱設定時間の設定し忘れや、タイマ調理を意識しないでコンロバーナ１１を点火しても、被加熱物が過熱状態で放置されるのを防止できる。
【００４５】
［第２実施形態］
次に、上記した本発明を実施するための第２実施形態について詳述する。
図３は、本発明の第２実施形態に係る加熱調理器として例示するガスコンロの回路構造を示す説明図であり、以下、各部の詳細を説明する。
【００４６】
ガスコンロ本体Ａ２は、上記第１実施形態に係るガスコンロと同様に、コンロバーナ１１を有するコンロ１，１と、グリルバーナ２１，２１を有するグリル２と、操作パネル３と、点消火ボタン１２，１２，２２とを備えており、コンロ１，１およびグリル２には、点火電極１３，１３，２３と、燃焼センサ１４，１４，２４と、電磁弁１５，１５，２５とが各別に設けられている。尚、上記コンロバーナ１１，１１およびグリルバーナ２１，２１が既述請求項２の発明特定事項たる熱源に対応する。
【００４７】
操作パネル３には、後述する信号出力時間を設定可能な下限時間と上限時間との間で増減させるプラスキー３ａおよびマイナスキー３ｂと、コンロバーナ１１，１１またはグリルバーナ２１，２１の燃焼残り時間や報知タイマ残り時間を表示する表示部３３と、報知音を出力できる報知出力部３４とが設けられている。尚、上記プラスキー３ａおよびマイナスキー３ｂが既述請求項２の発明特定事項たる時間設定部に対応し、報知出力部３４が既述請求項２の発明特定事項たる報知手段に対応する。
【００４８】
さらに、操作パネル３には、上記タイマ調理モードと後述する報知モードとを切り替えるタイマ切替キー３２２が設けられている。
【００４９】
ガスコンロ本体Ａ２内には、点消火ボタン１２，２２を操作することによってオン／オフするスイッチ１２０，１２０，２２０や点火電極１３，１３，２３、燃焼センサ１４，１４，２４、電磁弁１５，１５，２５等が電気接続されるとともに、点消火ボタン１２，１２，２２を操作することによってコンロバーナ１１，１１やグリルバーナ２１，２１を点火・消火させる補助制御部Ｃｍと、プラスキー３ａやマイナスキー３ｂ、表示部３３、タイマ切替キー３２２、報知出力部３４、補助制御部Ｃｍ等が電気接続される制御部Ｃ２とが収容されている。
【００５０】
補助制御部Ｃｍには、コンロバーナ１１またはグリルバーナ２１，２１の点火時からの燃焼時間を監視し、その燃焼時間が過熱防止時間を経過した時点でタイムアップ信号を出力するタイマ機能部Ｔｍを備えるとともに、タイマ切替キー３２２からオン信号が出力されていない場合に安全タイマモードを実行するマイクロコンピュータが格納されている。上記安全タイマモード実行時に設定される過熱防止時間は、上記第１実施形態における過熱防止時間と同様に設定されている。尚、上記第２実施形態における「過熱防止時間」が既述請求項４の発明特定事項たる「所定の加熱時間」に対応する。
【００５１】
制御部Ｃ２には、プラスキー３ａおよびマイナスキー３ｂで任意に設定した信号出力時間の経過後にタイムアップ信号を出力するタイマ機能部Ｔｓを備えるとともに、タイマ機能部Ｔｓからタイムアップ信号が出力された場合にコンロバーナ１１またはグリルバーナ２１，２１を消火させるタイマ調理モードと、タイマ機能部Ｔｓからタイムアップ信号が出力された場合に報知出力部３４によって報知音を出力させる制御モード（以下、「報知モード」という）とを実行するマイクロコンピュータが格納されている。尚、上記タイマ機能部Ｔｓが既述請求項２の発明特定事項たるタイマ機能部に対応し、上記タイマ調理モードおよび報知モードを実行するマイクロコンピュータの機能部が既述請求項２の発明特定事項たる「実行手段」に対応する。
【００５２】
タイマ調理モード実行時に設定される信号出力時間の初期値は、０分に設定されており、プラスキー３ａおよびマイナスキー３ｂを操作することによって、設定可能な下限時間（例えば、１分）から上限時間（例えば、両面焼きグリルの場合で１５分、片面焼きグリルの場合で２１分、コンロの場合で６０分）の範囲内で調理物に合わせた時間に変更することができる。一方、上記報知モードで設定される信号出力時間は、その初期値が０分に設定されており、プラスキー３ａおよびマイナスキー３ｂを操作することによって、設定可能な下限時間（０分）から上限時間（例えば、３０分）の範囲内で変更することができる。
【００５３】
さらに、制御部Ｃ２に格納されているマイクロコンピュータは、タイマ切替キー３２２のオン／オフ状態に応じてタイマ調理モードと報知モードとを切り替える制御動作を実行する機能部を備えており、タイマ切替キー３２２からオン信号が出力されている場合はタイマ調理モードを選択し、タイマ切替キー３２２からオン信号が出力されていない場合は報知モードを選択するように設定されている。尚、タイマ調理モードと報知モードとの切替動作を実行する上記マイクロコンピュータの機能部が既述請求項２の発明特定事項たる「選択手段」に対応する。
【００５４】
また、制御部Ｃ２に格納されるマイクロコンピュータは、タイマ調理モード実行時、コンロバーナ１１またはグリルバーナ２１，２１の点火時から所定時間内（例えば、５分）にプラスキー３ａまたはマイナスキー３ｂを操作して消火時間をセットした場合は、そのセットした時点からタイマ機能部Ｔｓによって信号出力時間の監視を開始させる一方、所定時間内にプラスキー３ａまたはマイナスキー３ｂが操作されずに消火時間がセットされなかった場合は、所定時間経過後に補助制御部Ｃｍによって電磁弁２５を閉じ、コンロバーナ１１またはグリルバーナ２１，２１を消火させる機能を備えている。尚、タイマ調理モード実行時、所定時間内にプラスキー３ａまたはマイナスキー３ｂを操作して消火時間をセットした場合は、そのセットした時点から信号出力時間の監視を開始させる上記マイクロコンピュータの機能部が既述請求項６の発明特定事項たる制御手段に対応し、所定時間内にプラスキー３ａまたはマイナスキー３ｂが操作されなかった場合は、所定時間経過後にコンロバーナ１１またはグリルバーナ２１，２１を消火させる上記マイクロコンピュータの機能部が既述請求項８の発明特定事項たる制御手段に対応する。
【００５５】
［第２実施形態に係るガスコンロの動作の実際］
次に、上記第２実施形態に係るガスコンロにおいて、グリル２使用時の動作を説明する。
【００５６】
グリル２用の点消火ボタン２２を押すと、補助制御部Ｃｍによって電磁弁２５が開かれるとともに点火電極２３に高電圧が印加され、グリルバーナ２１，２１が点火される。
このとき、タイマ切替キー３２２からのオン信号が出力されている状態で燃焼センサ２４からの燃焼信号が出力された場合は、制御部Ｃ２によってタイマ調理モードが実行される。
【００５７】
グリルバーナ２１，２１の点火時から所定時間内（例えば、５分）にプラスキー３ａを操作して、タイマ調理モードで設定される信号出力時間の初期値（０分）からグリルバーナ２１，２１を消火させる信号出力時間（以下、「消火時間」という）に設定変更すると、その消火時間をセットした時点からタイマ機能部Ｔｓによって定時毎（例えば、１分毎）に積算されるカウンタ値とセットされた消火時間との差、即ち、グリルバーナ２１，２１の燃焼残り時間の監視が開始される。表示部３３には、上記燃焼残り時間が表示される。そして、カウンタ値とセットされた消火時間との差がゼロになった時点で電磁弁２５を閉じ、グリルバーナ２１，２１が消火される。
【００５８】
グリルバーナ２１，２１の点火時から所定時間内に消火時間がセットされなかった場合は、補助制御部Ｃｍによって電磁弁２５が閉じられ、グリルバーナ２１，２１を消火する。
【００５９】
一方、タイマ切替キー３２２からのオン信号が出力されていない状態で燃焼センサ２４からの燃焼信号が出力された場合は、補助制御部Ｃｍによって安全タイマモードが実行され、過熱防止時間の経過後にグリルバーナ２１，２１が消火される。表示部３３には、後述する報知タイマ残り時間が表示される。
【００６０】
また、燃焼センサ２４からの燃焼信号が出力されているか否かにかかわらず、タイマ切替キー３２２からのオン信号が出力されていない場合は、制御部Ｃ２によって報知モードが実行される。
【００６１】
プラスキー３ａを操作して、報知モードで設定される信号出力時間の初期値（０分）から報知させたい信号出力時間（以下、「報知時間」という）に変更すると、タイマ機能部Ｔｓによって定時毎（例えば、１分毎）に積算されるカウンタ値と上記報知時間との差、即ち、報知タイマ残り時間の監視が開始され、カウンタ値と報知時間との差がゼロになった時点で報知出力部３４から報知音を出力させる。
【００６２】
これにより、調理物に適した加熱設定時間にグリルバーナ２１，２１を自動的に消火させたい場合は、タイマ切替キー３２２をオンにした状態で点火し、プラスキー３ａまたはマイナスキー３ｂを操作して加熱設定時間（例えば、８分）を設定すれば、制御部Ｃ２によってタイマ調理モードが実行され、加熱設定時間に自動消火させることができる。また、上記点火後にプラスキー３ａまたはマイナスキー３ｂを操作し忘れた場合は、補助制御部Ｃｍによって安全タイマモードが実行され、グリルバーナ２１，２１が自動的に消火されるから、グリルバーナ２１，２１が燃焼した状態で長時間放置されるのを防止できる。
【００６３】
一方、タイマ切替キー３２２をオンにしていない状態で点火すれば、補助制御部Ｃｍによって安全タイマモードが実行され、グリル２の過熱防止時間（例えば、２０分）を経過すれば自動的に消火されるから、タイマ調理を意識しないでグリルバーナ２１，２１を点火しても、被加熱物が過熱状態で放置されるのを防止できる。
【００６４】
インスタントラーメンの調理時間等を報知させたい場合は、タイマ切替キー３２２をオンにしないでプラスキー３ａやマイナスキー３ｂによって報知時間を設定すれば、報知モードによって設定した報知時間に報知させることができる。
【００６５】
また、グリルバーナ２１，２１の燃焼残り時間の計測は、プラスキー３ａまたはマイナスキー３ｂを操作して消火時間をセットした時点から開始されるように設定されているから、グリル２の庫内を予め加熱しておく予熱運転や、グリル２の庫内や焼き網等に付着した油を焼き切る空焼き運転をさせた後で調理物の加熱を開始させる場合は、バーナが点火された時点から計測されるものに比べて、容易に調理物に適した消火時間を設定することができる。即ち、調理物に適した消火時間をセットする際、消火時間をバーナが点火された時点から計測するものでは、調理物に適した消火時間（例えば、８分）に上記予熱時間や空焼き時間（例えば、３分）を加えた時間をその都度計算してセットしなければならないのに対し、本実施の形態では、予熱時間や空焼き時間を意識することなく、調理物に適した消火時間（例えば、８分）をセットすればよい。
尚、上記第２実施形態に係るガスコンロの動作は、グリル２の制御動作を例示したが、コンロ１の動作を制御する場合もグリル２の制御動作と同様に、調理物に適した加熱設定時間にコンロバーナ１１を自動的に消火させたい場合は、タイマ切替キー３２２をオンにした状態で点火し、プラスキー３ａまたはマイナスキー３ｂを操作して加熱設定時間（例えば、９分）を設定すれば、制御部Ｃ２によってタイマ調理モードが実行され、その加熱設定時間に自動消火させることができる。また、上記点火後にプラスキー３ａまたはマイナスキー３ｂを操作し忘れた場合は、補助制御部Ｃｍによって安全タイマモードが実行され、グリルバーナ２１，２１が自動的に消火されるから、コンロバーナ１１が燃焼した状態で長時間放置されるのを防止できる。
【００６６】
一方、タイマ切替キー３２２をオフにした状態で点火すれば、補助制御部Ｃｍによって安全タイマモードが実行され、コンロ１の過熱防止時間（例えば、１２０分）を経過すれば消火されるから、タイマ調理を意識しないでコンロバーナ１１を点火しても、被加熱物が過熱状態で放置されるのを防止できる。
【００６７】
コンロバーナ１１の燃焼残り時間の計測についても上記グリル２の制御動作と同様に、プラスキー３ａまたはマイナスキー３ｂを操作して消火時間をセットした時点から開始されるように設定されているから、コンロ１で使用する鍋やフライパン等を予め加熱しておく予熱運転をさせた後で調理物の加熱を開始させる場合は、バーナが点火された時点から計測されるものに比べて、容易に調理物に適した消火時間を設定することができる。
【００６８】
［第３実施形態］
次に、上記した本発明を実施するための第３実施形態について詳述する。
図４は、本発明の第３実施形態に係る加熱調理器として例示するガスコンロの斜視図であり、図５はその回路構造を示す説明図である。以下、各部の詳細を説明する。
【００６９】
図４に示すように、ガスコンロ本体Ａ３は、上記第１実施形態に係るガスコンロと同様に、コンロバーナ１１を有するコンロ１，１と、グリルバーナ２１，２１を有するグリル２と、操作パネル３と、点消火ボタン１２，１２，２２とを備えている。尚、上記コンロバーナ１１，１１およびグリルバーナ２１，２１が既述請求項２の発明特定事項たる熱源に対応する。
【００７０】
操作パネル３には、上記第２実施形態に係るガスコンロと同様に、プラスキー３ａおよびマイナスキー３ｂと、表示部３３と、報知出力部３４とが設けられている。尚、上記プラスキー３ａおよびマイナスキー３ｂが既述請求項２の発明特定事項たる時間設定部に対応し、報知出力部３４が既述請求項２の発明特定事項たる報知手段に対応する。
【００７１】
ガスコンロ本体Ａ３の正面側には、着脱自在に装着される操作ユニット３１が設けられており、上記操作パネル３は該操作ユニット３１の正面側に設けられている。
【００７２】
また、操作ユニット３１の背面部には、操作ユニット３１の着脱状態を検知する着脱センサ３２３が設けられており、操作ユニット３１をガスコンロ本体Ａ３に取り付けるとオン信号を出力し、取り外すとオン信号が出力されないように設定されている。尚、上記着脱センサ３２３が既述請求項３の発明特定事項たる着脱検知部に対応する。
【００７３】
図５に示すように、上記第２実施形態に係るガスコンロと同様、ガスコンロ本体Ａ３内には、点消火ボタン１２，１２，２２のスイッチ１２０，１２０，２２０やコンロ１およびグリル２の点火電極１３，１３，２３、燃焼センサ１４，１４，２４、電磁弁１５，１５，２５等が電気接続されるとともに、点消火ボタン１２，１２，２２を操作することによってコンロバーナ１１，１１やグリルバーナ２１，２１を点火・消火させる補助制御部Ｃｍが収容されている。
【００７４】
また、操作ユニット３１内には、プラスキー３ａやマイナスキー３ｂ、表示部３３、着脱センサ３２３、報知出力部３４、補助制御部Ｃｍ等が電気接続される制御部Ｃ３が収容されている。補助制御部Ｃｍと制御部Ｃ３との電気接続部３５は、切り離しが可能な状態で連結されている。
【００７５】
補助制御部Ｃｍには、コンロバーナ１１またはグリルバーナ２１，２１の点火時からの燃焼時間を監視し、その燃焼時間が過熱防止時間を経過した時点でタイムアップ信号を出力するタイマ機能部Ｔｍを備えるとともに、着脱センサ３２３からオン信号が出力されていない場合に安全タイマモードを実行するマイクロコンピュータが格納されている。上記安全タイマモード実行時に設定される過熱防止時間は、上記第１実施形態における過熱防止時間と同様に設定されている。尚、上記第３実施形態における「過熱防止時間」が既述請求項４の発明特定事項たる「所定の加熱時間」に対応する。
【００７６】
制御部Ｃ３には、上記第２実施形態における制御部Ｃ２と同様、タイマ機能部Ｔｓを備えるとともに、タイマ調理モードと報知モードとを実行するマイクロコンピュータが格納されている。尚、上記タイマ機能部Ｔｓが既述請求項２の発明特定事項たるタイマ機能部に対応し、上記タイマ調理モードおよび報知モードを実行するマイクロコンピュータの機能部が既述請求項２の発明特定事項たる「実行手段」に対応する。
【００７７】
タイマ調理モード実行時に設定される信号出力時間および報知モードで設定される信号出力時間は、上記第２実施形態と同様に設定されており、プラスキー３ａおよびマイナスキー３ｂを操作することによって設定変更できる。
【００７８】
さらに、制御部Ｃ３に格納されているマイクロコンピュータは、着脱センサ３２３のオン／オフ状態に応じてタイマ調理モードと報知モードとを切り替える制御動作を実行する機能部を備えており、着脱センサ３２３からオン信号が出力されている場合はタイマ調理モードを選択し、着脱センサ３２３からオン信号が出力されていない場合は報知モードを選択するように設定されている。尚、タイマ調理モードと報知モードとの切替動作を実行する上記マイクロコンピュータの機能部が既述請求項２の発明特定事項たる「選択手段」に対応する。
【００７９】
また、制御部Ｃ３に格納されるマイクロコンピュータは、タイマ調理モード実行時、コンロバーナ１１またはグリルバーナ２１，２１の点火時から所定時間内（例えば、５分）にプラスキー３ａまたはマイナスキー３ｂを操作して消火時間をセットした場合は、そのセットした時点からタイマ機能部Ｔｓによって信号出力時間の監視を開始させる一方、所定時間内にプラスキー３ａまたはマイナスキー３ｂが操作されずに消火時間がセットされなかった場合は、所定時間経過後に補助制御部Ｃｍによって安全タイマモードを実行させ、燃焼残り時間の監視を開始させる機能を備えている。尚、タイマ調理モード実行時、所定時間内にプラスキー３ａまたはマイナスキー３ｂを操作して消火時間をセットした場合は、そのセットした時点から信号出力時間の監視を開始させる一方、所定時間内にプラスキー３ａまたはマイナスキー３ｂを操作して消火時間をセットしなかった場合は、所定時間経過後に補助制御部Ｃｍによって安全タイマモードを実行させ、燃焼残り時間の監視を開始させる上記マイクロコンピュータの機能部が既述請求項７の発明特定事項たる制御手段に対応する。
【００８０】
［第３実施形態に係るガスコンロの動作の実際］
次に、上記第３実施形態に係るガスコンロにおいて、グリル２使用時の動作を説明する。
【００８１】
操作ユニット３１をガスコンロ本体Ａ３に取り付けた状態、即ち、着脱センサ３２３からのオン信号が出力された状態でグリル２用の点消火ボタン２２を押すと、上記第２実施形態と同様、補助制御部Ｃｍによってグリルバーナ２１，２１が点火される一方、制御部Ｃ３によってタイマ調理モードが実行される。
【００８２】
グリルバーナ２１，２１の点火時から所定時間内（例えば、５分）にプラスキー３ａを操作して消火時間をセットすると、上記第２実施形態と同様に、グリルバーナ２１，２１の燃焼残り時間の監視が開始され、表示部３３には上記燃焼残り時間が表示される。そして、燃焼残り時間がゼロになった時点でグリルバーナ２１，２１を消火させる。
【００８３】
グリルバーナ２１，２１の点火時から所定時間内に消火時間がセットされなかった場合は、補助制御部Ｃｍによって安全タイマモードが実行されて過熱防止時間（例えば、２０分）が設定されるとともに、タイマ機能部Ｔｍによって定時毎（例えば、１分毎）に積算されるカウンタ値と過熱防止時間との差の監視が開始される。そして、上記カウンタ値と過熱防止時間との差がゼロになった時点で電磁弁２５を閉じ、グリルバーナ２１，２１が消火される。
【００８４】
一方、操作ユニット３１をガスコンロ本体Ａ３から取り外した状態、即ち、着脱センサ３２３からのオン信号が出力されない状態で点消火ボタン２２を押すと、上記所定時間内にプラスキー３ａまたはマイナスキー３ｂが操作されなかった場合と同様に、補助制御部Ｃｍによって安全タイマモードが実行され、過熱防止時間の経過後にグリルバーナ２１，２１を消火させる。表示部３３には、後述する報知タイマ残り時間が表示される。
【００８５】
また、燃焼センサ２４からの燃焼信号が出力されているか否かにかかわらず、着脱センサ３２３からのオン信号が出力されていない場合は、制御部Ｃ３によって報知モードが実行され、上記第２実施形態と同様に、報知タイマ残り時間の監視が開始され、報知タイマ残り時間がゼロになった時点で報知出力部３４から報知音を出力させる。
【００８６】
これにより、調理物に適した加熱設定時間にグリルバーナ２１，２１を自動的に消火させたい場合は、操作ユニット３１をガスコンロ本体Ａ３に取り付けた状態で点火し、プラスキー３ａまたはマイナスキー３ｂを操作して加熱設定時間（例えば、８分）を設定すれば、制御部Ｃ３によってタイマ調理モードが実行され、加熱設定時間に自動消火させることができる。また、上記点火後にプラスキー３ａまたはマイナスキー３ｂを操作し忘れた場合は、補助制御部Ｃｍによって安全タイマモードが実行され、過熱防止時間にグリルバーナ２１，２１が自動的に消火されるから、被加熱物が過熱状態で放置されるのを防止できる。
【００８７】
一方、操作ユニット３１をガスコンロ本体Ａ３から取り外した状態で点火すれば、補助制御部Ｃｍによって安全タイマモードが実行され、グリル２の過熱防止時間（例えば、２０分）を経過するまでは継続して燃焼させておくことができる。また、過熱防止時間を経過すれば自動的に消火されるから、タイマ調理を意識しないでグリルバーナ２１，２１を点火しても、被加熱物が過熱状態で放置されるのを防止できる。
【００８８】
インスタントラーメンの調理時間等を報知させたい場合は、操作ユニット３１をガスコンロ本体Ａ３から取り外した状態でプラスキー３ａやマイナスキー３ｂによって報知時間を設定すれば、報知モードによって設定した報知時間に報知させることができる。
【００８９】
また、グリルバーナ２１，２１の燃焼残り時間の計測は、上記第２実施形態と同様に、プラスキー３ａまたはマイナスキー３ｂを操作して消火時間をセットした時点から開始されるように設定されているから、予熱運転や空焼き運転をさせた後で調理物の加熱を開始させる場合は、バーナが点火された時点から計測されるものに比べて、容易に調理物に適した消火時間を設定することができる。
尚、上記第３実施形態に係るガスコンロの動作は、グリル２の制御動作を例示したが、コンロ１の動作を制御する場合もグリル２の制御動作と同様に、調理物に適した加熱設定時間にコンロバーナ１１を自動的に消火させたい場合は、操作ユニット３１をガスコンロ本体Ａ３に取り付けた状態で点火し、プラスキー３ａまたはマイナスキー３ｂを操作して加熱設定時間（例えば、９分）を設定すれば、制御部Ｃ３によってタイマ調理モードが実行され、その加熱設定時間に自動消火させることができる。また、上記点火後にプラスキー３ａまたはマイナスキー３ｂを操作し忘れた場合は、補助制御部Ｃｍによって安全タイマモードが実行され、グリルバーナ２１，２１が自動的に消火されるから、被加熱物が過熱状態で放置されるのを防止できる。
【００９０】
一方、操作ユニット３１がガスコンロ本体Ａ３から取り外された状態で点火すれば、補助制御部Ｃｍによって安全タイマモードが実行され、過熱防止時間（例えば、１２０分）を経過すれば消火されるから、操作ユニット３１をガスコンロ本体Ａ３に取付け忘れた状態でコンロバーナ１１を点火しても、被加熱物が過熱状態で放置されるのを防止できる。
コンロバーナ１１の燃焼残り時間の計測についても上記グリル２の制御動作と同様に、プラスキー３ａまたはマイナスキー３ｂを操作して消火時間をセットした時点から開始されるように設定されているから、コンロ１で使用する鍋やフライパン等を予め加熱しておく予熱運転をさせた後で調理物の加熱を開始させる場合は、バーナが点火された時点から計測されるものに比べて、容易に調理物に適した消火時間を設定することができる。
【００９１】
［その他］
尚、上記第１実施形態では、開閉部３０が開いた状態でグリルバーナ２１，２１を点火させることにより、調理物が適度に仕上がる標準的な時間（例えば、８分）が自動的に設定されるが、開閉部３０を開いて時間設定部３を露出させ、プラスキー３ａやマイナスキー３ｂによって手動で任意の加熱設定時間を設定するものであっても良い。
【００９２】
また、上記第１実施形態における制御部Ｃ１は、コンロバーナ１１やグリルバーナ２１，２１のバーナが点火された時点で燃焼残り時間の監視を開始するように設定されているが、上記第２実施形態と同様に、タイマ調理モード実行時、バーナが点火された状態でプラスキー３ａやマイナスキー３ｂの時間設定部によって消火時間をセットした時点で燃焼残り時間の監視を開始する一方、所定時間内に消火時間がセットされなかった場合はバーナを消火させるように設定されたものであっても良いし、上記第３実施形態と同様に、タイマ調理モード実行時、バーナが点火された状態で時間設定部によって消火時間をセットした時点で燃焼残り時間の監視を開始する一方、所定時間内に消火時間がセットされなかった場合は安全タイマモードによる燃焼残り時間の監視を開始させるように設定されたものであっても良い。
【００９３】
上記第２実施形態における制御部Ｃ２についても、上記第１実施形態と同様に、タイマ調理モード実行時、バーナが点火された時点で燃焼残り時間の監視を開始するように設定されたものであっても良いし、上記第３実施形態と同様に、タイマ調理モード実行時、バーナが点火された状態で時間設定部によって消火時間をセットした時点で燃焼残り時間の監視を開始する一方、所定時間内に消火時間がセットされなかった場合は安全タイマモードによる燃焼残り時間の監視を開始させるように設定されたものであっても良い。
【００９４】
上記第３実施形態における制御部Ｃ３についても、上記第１実施形態と同様に、タイマ調理モード実行時、バーナが点火された時点で燃焼残り時間の監視を開始するように設定されたものであっても良いし、上記第２実施形態と同様に、タイマ調理モード実行時、バーナが点火された状態で時間設定部によって消火時間をセットした時点で燃焼残り時間の監視を開始する一方、所定時間内に消火時間がセットされなかった場合はバーナを消火させるように設定されたものであっても良い。
【００９５】
また、上記第１実施形態において、加熱設定時間の計時中に開閉部を閉じた場合（第２実施形態においては切替スイッチをオフにした場合、第３実施形態においては操作ユニットを取り付けた場合）も継続して加熱設定時間を計測するが、加熱設定時間の計時中に開閉部を閉じた場合（第２実施形態においては切替スイッチをオフにした場合、第３実施形態においては操作ユニットを取り付けた場合）は、安全タイマモードに切り替えて過熱防止時間の計時を開始させるものであっても良い。
【００９６】
上記第１実施形態において、開閉部３０は、上下に開閉する回転扉状に形成されているが、図６に示すように、前後に摺動する引き出し状の箱体であっても良い。この場合、操作パネル３は、該開閉部３０の上面に設けられており、開閉部３０を前方へ引き出せばガスコンロ本体Ａ１の外部へ露出し、押し込めばガスコンロ本体Ａ１内へ隠蔽される。開閉部３０の開閉状態を検知する開閉センサ３２１は、ガスコンロ本体Ａ１内の開閉部３０後部に設けられており、開閉部３０を引き出すとオン信号を出力し、押し込むとオン信号が出力されないように構成されている。また、図７に示すように、上下に開閉するスライド扉３００を備えたものであっても良い。この場合、操作パネル３は、開閉部３０のスライド扉３００に被蓋される位置に設けられており、スライド扉３００を開けばガスコンロ本体Ａ１の外部へ露出し、閉じればガスコンロ本体Ａ１内へ隠蔽される。このものでは、開閉部３０の開閉状態を検知する開閉センサ３２１は、ガスコンロ本体Ａ１内の開閉部３０近傍に設けられており、スライド扉３００を開くとオン信号を出力し、閉じるとオン信号が出力されないように設定されている。
【００９７】
加熱設定時間、過熱防止時間および信号出力時間は、プラスキー３ａおよびマイナスキー３ｂで設定・調節するものを例示したが、設定時間を数字入力するテンキーであっても良いし、回動させることによって設定時間を増減できるダイヤルであっても良い。
過熱防止時間は、予め設定された所定値に固定設定されるものを例示したが、予め設定された範囲内（例えば、両面焼きグリルの場合で１５〜３０分、片面焼きグリルの場合で２１〜４０分、コンロの場合で６０〜１５０分）で調節可能なものであっても良い。
報知出力部３４は、報知音を出力するものを例示したが、報知時間に到達したことを音声で知らせるものであっても良いし、点灯して報知する発光体であっても良い。また、それら報知音や音声、発光体を組合せて構成したものであっても良い。
【図面の簡単な説明】
【００９８】
【図１】本発明の実施の形態に係る加熱調理器として例示するガスコンロの斜視図
【図２】本発明の実施の形態に係る加熱調理器として例示するガスコンロの回路構造を示す説明図
【図３】本発明の第２実施形態に係る加熱調理器として例示するガスコンロの回路構造を示す説明図
【図４】本発明の第３実施形態に係る加熱調理器として例示するガスコンロの斜視図
【図５】本発明の第３実施形態に係る加熱調理器として例示するガスコンロの回路構造を示す説明図
【図６】その他の実施形態における開閉部３０近傍の斜視図
【図７】その他の実施形態における開閉部３０近傍の斜視図
【図８】従来例の加熱調理器として例示するガスコンロの斜視図
【図９】開閉部を採用した従来の操作パネル部の斜視図
【符号の説明】
【００９９】
１１，２１・・・熱源
Ｃ１・・・制御部
３ａ，３ｂ・・・時間設定部
３０・・・開閉部
【図１】
2008202935.tif 000003
【図２】
2008202935.tif 000004
【図３】
2008202935.tif 000005
【図４】
2008202935.tif 000006
【図５】
2008202935.tif 000007
【図６】
2008202935.tif 000008
【図７】
2008202935.tif 000009
【図８】
2008202935.tif 000010
【図９】
2008202935.tif 000011
【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
熱源を設定された加熱時間の経過後に停止させる制御部を備えた加熱調理器において、
前記制御部は、時間設定部で任意に設定可能な信号出力時間の経過後にタイムアップ信号を出力するタイマ機能部と、
前記タイムアップ信号が出力されるまで前記熱源を作動させるタイマ調理モードと、前記タイムアップ信号が出力されたときに報知手段によって報知させる報知モードとを実行させ得る実行手段と、
前記タイマ調理モードと前記報知モードとを切り替える選択手段とを備えた、加熱調理器。
【請求項２】
請求項１に記載の加熱調理器において、
前記時間設定部と前記報知手段と前記制御部とを具備し且つ加熱調理器本体に対して着脱自在に取り付けられる操作ユニットと、
前記操作ユニットの着脱状態を検知する着脱検知部とを備え、
前記選択手段は、前記操作ユニットが加熱調理器本体に取り付けられているときは、前記タイマ調理モードを選択する一方、前記操作ユニットが加熱調理器本体に取り付けられていないときは、前記報知モードを選択する、加熱調理器。
【請求項３】
請求項１または２に記載の加熱調理器において、
所定の加熱時間の経過後に前記熱源を停止させる安全タイマモードを実行させる補助制御部を備え、
前記制御部は、前記報知モードが選択されているときは、前記補助制御部によって前記安全タイマモードを実行させる制御手段を備えた、加熱調理器。
【請求項４】
請求項１から３のいずれかに記載の加熱調理器において、
前記タイマ調理モードが選択された状態で前記熱源を作動させた場合は、前記熱源を作動させた時点から前記時間設定部で設定した時間の計測を開始させる制御手段を備えた、加熱調理器。
【請求項５】
請求項１から３のいずれかに記載の加熱調理器において、
前記タイマ調理モードが選択され且つ熱源を作動させた状態で、前記時間設定部によって時間を設定した場合は、前記時間設定部によって時間を設定した時点から前記時間設定部で設定した時間の計測を開始させる制御手段を備えた、加熱調理器。
【請求項６】
請求項３に記載の加熱調理器において、
前記タイマ調理モードが選択され且つ熱源を作動させた状態で、所定時間内に前記時間設定部によって時間を設定した場合は、前記時間設定部によって時間を設定した時点から前記時間設定部で設定した時間の計測を開始させる一方、前記タイマ調理モードが選択され且つ熱源を作動させた状態で、所定時間内に前記時間設定部によって時間が設定されない場合は、前記所定時間の経過後に前記安全タイマモードを実行して前記所定の加熱時間の計測を開始させる制御手段を備えた、加熱調理器。
【請求項７】
請求項５に記載の加熱調理器において、
前記タイマ調理モードが選択され且つ熱源を作動させた状態で、所定時間内に前記時間設定部によって時間が設定されない場合は、前記所定時間の経過後に前記熱源を停止させる制御手段を備えた、加熱調理器。
【手続補正２】
【補正対象書類名】明細書
【補正対象項目名】０００２
【補正方法】変更
【補正の内容】
【０００２】
図６は、この種の加熱調理器として例示するガスコンロの正面図であり、ガスコンロ本体Ａは、コンロバーナ７１を有するコンロ７，７と、グリルバーナ８１，８１を有するグリル８と、コンロ７，７およびグリル８のタイマ制御動作を設定できる操作パネル９と、コンロバーナ７１を点火・消火させる点消火ボタン７２，７２と、グリルバーナ８１，８１を点火・消火させる点消火ボタン８２と、コンロ７，７やグリル８の点火・消火動作を制御する制御部Ｃとを備えている。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
また、上記従来の加熱調理器において、上記操作パネル９を、設定した時間に報知する単なる報知タイマとして使用する目的で、設定した時間に報知手段によって報知させる報知用の制御部を搭載させることができるが、制御部Ｃとは別に報知用の制御部を設けた場合は、部品コストが高くなる。
本発明は係る点に鑑みてなされたもので、
『熱源を設定された加熱時間の経過後に停止させる制御部を備えた加熱調理器』において、多機能化に伴う部品コストの増大を抑制した加熱調理器を提供することである。
【手続補正５】
【補正対象書類名】明細書
【補正対象項目名】０００７
【補正方法】変更
【補正の内容】
【０００７】
上記課題を解決するための本発明の技術的手段は、
『前記制御部は、時間設定部で任意に設定可能な信号出力時間の経過後にタイムアップ信号を出力するタイマ機能部と、
前記タイムアップ信号が出力されるまで前記熱源を作動させるタイマ調理モードと、前記タイムアップ信号が出力されたときに報知手段によって報知させる報知モードとを実行させ得る実行手段と、
前記タイマ調理モードと前記報知モードとを切り替える選択手段とを備えた』ことである。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１１
【補正方法】変更
【補正の内容】
【００１１】
請求項２に係る発明の技術的手段は、
前記請求項１において、
『前記時間設定部と前記報知手段と前記制御部とを具備し且つ加熱調理器本体に対して着脱自在に取り付けられる操作ユニットと、
前記操作ユニットの着脱状態を検知する着脱検知部とを備え、
前記選択手段は、前記操作ユニットが加熱調理器本体に取り付けられているときは、前記タイマ調理モードを選択する一方、前記操作ユニットが加熱調理器本体に取り付けられていないときは、前記報知モードを選択する』ことである。
【手続補正９】
【補正対象書類名】明細書
【補正対象項目名】００１５
【補正方法】変更
【補正の内容】
【００１５】
請求項３に係る発明の技術的手段は、
前記請求項１または２において、
『所定の加熱時間の経過後に前記熱源を停止させる安全タイマモードを実行させる補助制御部を備え、
前記制御部は、前記報知モードが選択されているときは、前記補助制御部によって前記安全タイマモードを実行させる制御手段を備えた』ことである。
このものでは、制御部によって報知モードが選択されている場合は、補助制御部によって安全タイマモードが実行されて所定の加熱時間で熱源が停止されるから、被加熱物が過熱状態で放置されるのを防止することができる。
【手続補正１０】
【補正対象書類名】明細書
【補正対象項目名】００１６
【補正方法】変更
【補正の内容】
【００１６】
請求項４に係る発明の技術的手段は、
前記請求項１から３のいずれかにおいて、
『前記タイマ調理モードが選択された状態で前記熱源を作動させた場合は、前記熱源を作動させた時点から前記時間設定部で設定した時間の計測を開始させる制御手段を備えた』ことである。
このものでは、熱源を作動させた時点で加熱時間の計測が開始されるから、熱源が作動したままで長時間放置されるのを防止することができるとともに、調理物の過熱も防止できる。
【手続補正１１】
【補正対象書類名】明細書
【補正対象項目名】００１７
【補正方法】変更
【補正の内容】
【００１７】
請求項５に係る発明の技術的手段は、
前記請求項１から３のいずれかにおいて、
『前記タイマ調理モードが選択され且つ熱源を作動させた状態で、前記時間設定部によって時間を設定した場合は、前記時間設定部によって時間を設定した時点から前記時間設定部で設定した時間の計測を開始させる制御手段を備えた』ことである。
このものでは、時間設定部によって加熱時間を設定した時点で加熱時間の計測が開始されるから、予熱運転や空焼き運転等を実施した後に加熱時間の計測を開始させることができる。
【手続補正１２】
【補正対象書類名】明細書
【補正対象項目名】００１８
【補正方法】変更
【補正の内容】
【００１８】
請求項６に係る発明の技術的手段は、
前記請求項３において、
『前記タイマ調理モードが選択され且つ熱源を作動させた状態で、所定時間内に前記時間設定部によって時間を設定した場合は、前記時間設定部によって時間を設定した時点から前記時間設定部で設定した時間の計測を開始させる一方、前記タイマ調理モードが選択され且つ熱源を作動させた状態で、所定時間内に前記時間設定部によって時間が設定されない場合は、前記所定時間の経過後に前記安全タイマモードを実行して前記所定の加熱時間の計測を開始させる制御手段を備えた』ことである。
このものでは、熱源が作動しているにもかかわらず、所定時間内に任意の加熱時間を設定しなかった場合は、安全タイマモードが実行されて所定の加熱時間の計測が開始され、その加熱時間の経過後に停止されるから、被加熱物が過熱状態で放置されるのを防止することができる。
【手続補正１３】
【補正対象書類名】明細書
【補正対象項目名】００１９
【補正方法】変更
【補正の内容】
【００１９】
請求項７に係る発明の技術的手段は、
前記請求項５において、
『前記タイマ調理モードが選択され且つ熱源を作動させた状態で、所定時間内に前記時間設定部によって時間が設定されない場合は、前記所定時間の経過後に前記熱源を停止させる制御手段を備えた』ことである。
このものでは、熱源が作動しているにもかかわらず、所定時間内に任意の加熱時間を設定しなかった場合には、熱源を停止させるから、熱源が作動したままで長時間放置されるのを防止することができる。
【手続補正１４】
【補正対象書類名】明細書
【補正対象項目名】００２０
【補正方法】変更
【補正の内容】
【００２０】
本発明は、上記構成であるから次の特有の効果を有する。
【手続補正１５】
【補正対象書類名】明細書
【補正対象項目名】００２１
【補正方法】変更
【補正の内容】
【００２１】
請求項１に係る発明では、一つの制御部でタイマ調理モードと報知モードとを切り替えて実行させることができるから、部品コストの増大を抑制することができる。
また、選択手段によって報知モードを選択した場合は、前記タイマ機能部を加熱調理器の用途とは別の用途で使用することができるから、インスタントラーメンの調理時間等を報知させるのに有用である。
【手続補正１６】
【補正対象書類名】明細書
【補正対象項目名】００２２
【補正方法】変更
【補正の内容】
【００２２】
請求項２に係る発明では、上記請求項１の効果に加えて、操作ユニットを加熱調理器本体から取り外せば、ダイニングやリビング等、加熱調理器が設置されている場所以外の場所で上記報知機能を利用することができるから、インスタントラーメンの調理時間等を計測するのに一層有用である。
【手続補正１７】
【補正対象書類名】明細書
【補正対象項目名】００２３
【補正方法】変更
【補正の内容】
【００２３】
請求項３に係る発明では、報知モードが選択されている場合も、所定の加熱時間の経過後に自動的に停止させることができるから、安全性が向上する。
【手続補正１８】
【補正対象書類名】明細書
【補正対象項目名】００２４
【補正方法】変更
【補正の内容】
【００２４】
請求項４に係る発明では、熱源が作動したままで長時間放置されるのを防止することができるから、安全性が向上する。
【手続補正１９】
【補正対象書類名】明細書
【補正対象項目名】００２５
【補正方法】変更
【補正の内容】
【００２５】
請求項５に係る発明では、予熱運転や空焼き運転等を実施した後に熱源の加熱時間の計測を開始させることができるから、熱源を作動させた時点から計測されるものに比べて、調理物に適した加熱時間の設定が容易である。
【手続補正２０】
【補正対象書類名】明細書
【補正対象項目名】００２６
【補正方法】変更
【補正の内容】
【００２６】
請求項６に係る発明では、所定時間内に任意の加熱時間を設定しなかった場合にも、被加熱物が過熱状態で放置されるのを防止することができるから、安全性が一層向上する。
請求項７に係る発明では、上記請求項５の効果に加えて、所定時間内に任意の加熱時間を設定しなかった場合にも、熱源が作動したままで長時間放置されるのを防止することができるから、安全性が一層向上する。
【手続補正２１】
【補正対象書類名】明細書
【補正対象項目名】００２８
【補正方法】変更
【補正の内容】
【００２８】
［前提技術］
まず、本発明の前提技術について説明する。
図１は、本発明の前提技術に係る加熱調理器として例示するガスコンロの斜視図であり、図２はその回路構造を示す説明図である。以下、各部の詳細を説明する。
【手続補正２２】
【補正対象書類名】明細書
【補正対象項目名】００２９
【補正方法】変更
【補正の内容】
【００２９】
図１に示すように、ガスコンロ本体Ａ１は、コンロバーナ１１を有するコンロ１，１と、グリルバーナ２１，２１を有するグリル２と、コンロ１，１およびグリル２のタイマ制御動作を設定させる操作パネル３と、コンロバーナ１１，１１を点火・消火させる点消火ボタン１２，１２と、グリルバーナ２１，２１を点火・消火させる点消火ボタン２２とを備えている。
【手続補正２３】
【補正対象書類名】明細書
【補正対象項目名】００３０
【補正方法】変更
【補正の内容】
【００３０】
操作パネル３には、後述するタイマ調理モード実行時に制御部Ｃ１によって設定されるコンロバーナ１１，１１やグリルバーナ２１，２１の燃焼時間（以下、「加熱設定時間」という）を設定可能な下限時間と上限時間との間で増減させるプラスキー３ａおよびマイナスキー３ｂと、上記加熱設定時間に基づくコンロバーナ１１，１１またはグリルバーナ２１，２１の燃焼残り時間を表示する表示部３３とが設けられている。
【手続補正２４】
【補正対象書類名】明細書
【補正対象項目名】００３５
【補正方法】変更
【補正の内容】
【００３５】
制御部Ｃ１は、コンロバーナ１１またはグリルバーナ２１，２１の点火時からの燃焼時間を監視し、その燃焼時間が上記加熱設定時間または後述する過熱防止時間を経過した時点でタイムアップ信号を出力するタイマ機能部Ｔ１を備えるとともに、鍋や調理物等の被加熱物の過熱を防止できる燃焼時間（以下、「過熱防止時間」という）の経過後にコンロバーナ１１またはグリルバーナ２１，２１を消火させる制御モード（以下、「安全タイマモード」という）および、調理物に適した加熱設定時間の経過後にコンロバーナ１１またはグリルバーナ２１，２１を消火させる制御モード（以下、「タイマ調理モード」という）を実行するマイクロコンピュータが格納されている。
【手続補正２５】
【補正対象書類名】明細書
【補正対象項目名】００３７
【補正方法】変更
【補正の内容】
【００３７】
さらに、制御部Ｃ１に格納されるマイクロコンピュータは、開閉部３０の開閉状態に応じて上記安全タイマモードと上記タイマ調理モードとを切り替える制御動作を実行する機能部を備えており、開閉部３０が閉じた状態、即ち、開閉センサ３２１からオン信号が出力されていない場合は安全タイマモードを選択し、開閉部３０が開いた状態、即ち、開閉センサ３２１からオン信号が出力されている場合はタイマ調理モードを選択するように設定されている。
【手続補正２６】
【補正対象書類名】明細書
【補正対象項目名】００３８
【補正方法】変更
【補正の内容】
【００３８】
また、制御部Ｃ１に格納されるマイクロコンピュータは、開閉センサ３２１からのオン信号が出力されているか否かにかかわらず、燃焼センサ１４，２４からの燃焼信号が出力された場合は、タイマ機能部Ｔ１によって定時毎（例えば、１分毎）に積算されるカウンタ値と加熱設定時間または過熱防止時間との差の監視を開始させる機能を備えている。
【手続補正２７】
【補正対象書類名】明細書
【補正対象項目名】００３９
【補正方法】変更
【補正の内容】
【００３９】
［前提技術に係るガスコンロの動作の実際］
次に、上記前提技術に係るガスコンロにおいて、グリル２使用時の動作を説明する。
グリル２用の点消火ボタン２２を押すと、制御部Ｃ１によって電磁弁２５が開かれるとともに点火電極２３に高電圧が印加され、グリルバーナ２１，２１が点火される。
【手続補正２８】
【補正対象書類名】明細書
【補正対象項目名】００４４
【補正方法】変更
【補正の内容】
【００４４】
これにより、調理物に適した加熱時間にグリルバーナ２１，２１を自動的に消火させたい場合は、開閉部３０を開いて操作パネル３を露出させた状態で点火すれば、タイマ調理モード実行時に設定される加熱設定時間（例えば、８分）に自動消火させることができる。また、開閉部３０が閉じられて操作パネル３を露出させていない状態で点火すれば、安全タイマモード実行時に設定されるグリル２の過熱防止時間（例えば、２０分）を経過すれば自動的に消火されるから、加熱設定時間の設定し忘れや、タイマ調理を意識しないでグリルバーナ２１，２１を点火しても、被加熱物が過熱状態で放置されるのを防止できる。
尚、上記前提技術に係るガスコンロの動作は、グリル２の制御動作を例示したが、コンロ１の動作を制御する場合もグリル２の制御動作と同様に、タイマ調理モードによってコンロバーナ１１を自動的に消火させたい場合は、開閉部３０を開いた状態で点火すれば、タイマ調理モード実行時に設定される加熱設定時間（例えば、１５分）が設定され、その加熱設定時間に自動消火させることができる。また、開閉部３０を閉じた状態で点火すれば、安全タイマモードによってコンロ１の過熱防止時間（例えば、１２０分）が設定され、過熱防止時間を経過すれば消火されるから、加熱設定時間の設定し忘れや、タイマ調理を意識しないでコンロバーナ１１を点火しても、被加熱物が過熱状態で放置されるのを防止できる。
【手続補正２９】
【補正対象書類名】明細書
【補正対象項目名】００４５
【補正方法】変更
【補正の内容】
【００４５】
［第１実施形態］
次に、上記した本発明を実施するための第１実施形態について詳述する。
図３は、本発明の第１実施形態に係る加熱調理器として例示するガスコンロの回路構造を示す説明図であり、以下、各部の詳細を説明する。
【手続補正３０】
【補正対象書類名】明細書
【補正対象項目名】００４６
【補正方法】変更
【補正の内容】
【００４６】
ガスコンロ本体Ａ２は、上述の前提技術に係るガスコンロと同様に、コンロバーナ１１を有するコンロ１，１と、グリルバーナ２１，２１を有するグリル２と、操作パネル３と、点消火ボタン１２，１２，２２とを備えており、コンロ１，１およびグリル２には、点火電極１３，１３，２３と、燃焼センサ１４，１４，２４と、電磁弁１５，１５，２５とが各別に設けられている。尚、上記コンロバーナ１１，１１およびグリルバーナ２１，２１が既述請求項１の発明特定事項たる熱源に対応する。
【手続補正３１】
【補正対象書類名】明細書
【補正対象項目名】００４７
【補正方法】変更
【補正の内容】
【００４７】
操作パネル３には、後述する信号出力時間を設定可能な下限時間と上限時間との間で増減させるプラスキー３ａおよびマイナスキー３ｂと、コンロバーナ１１，１１またはグリルバーナ２１，２１の燃焼残り時間や報知タイマ残り時間を表示する表示部３３と、報知音を出力できる報知出力部３４とが設けられている。尚、上記プラスキー３ａおよびマイナスキー３ｂが既述請求項１の発明特定事項たる時間設定部に対応し、報知出力部３４が既述請求項１の発明特定事項たる報知手段に対応する。
【手続補正３２】
【補正対象書類名】明細書
【補正対象項目名】００５０
【補正方法】変更
【補正の内容】
【００５０】
補助制御部Ｃｍには、コンロバーナ１１またはグリルバーナ２１，２１の点火時からの燃焼時間を監視し、その燃焼時間が過熱防止時間を経過した時点でタイムアップ信号を出力するタイマ機能部Ｔｍを備えるとともに、タイマ切替キー３２２からオン信号が出力されていない場合に安全タイマモードを実行するマイクロコンピュータが格納されている。上記安全タイマモード実行時に設定される過熱防止時間は、上述の前提技術における過熱防止時間と同様に設定されている。尚、上記第１実施形態における「過熱防止時間」が既述請求項３の発明特定事項たる「所定の加熱時間」に対応する。
【手続補正３３】
【補正対象書類名】明細書
【補正対象項目名】００５１
【補正方法】変更
【補正の内容】
【００５１】
制御部Ｃ２には、プラスキー３ａおよびマイナスキー３ｂで任意に設定した信号出力時間の経過後にタイムアップ信号を出力するタイマ機能部Ｔｓを備えるとともに、タイマ機能部Ｔｓからタイムアップ信号が出力された場合にコンロバーナ１１またはグリルバーナ２１，２１を消火させるタイマ調理モードと、タイマ機能部Ｔｓからタイムアップ信号が出力された場合に報知出力部３４によって報知音を出力させる制御モード（以下、「報知モード」という）とを実行するマイクロコンピュータが格納されている。尚、上記タイマ機能部Ｔｓが既述請求項１の発明特定事項たるタイマ機能部に対応し、上記タイマ調理モードおよび報知モードを実行するマイクロコンピュータの機能部が既述請求項１の発明特定事項たる「実行手段」に対応する。
【手続補正３４】
【補正対象書類名】明細書
【補正対象項目名】００５３
【補正方法】変更
【補正の内容】
【００５３】
さらに、制御部Ｃ２に格納されているマイクロコンピュータは、タイマ切替キー３２２のオン／オフ状態に応じてタイマ調理モードと報知モードとを切り替える制御動作を実行する機能部を備えており、タイマ切替キー３２２からオン信号が出力されている場合はタイマ調理モードを選択し、タイマ切替キー３２２からオン信号が出力されていない場合は報知モードを選択するように設定されている。尚、タイマ調理モードと報知モードとの切替動作を実行する上記マイクロコンピュータの機能部が既述請求項１の発明特定事項たる「選択手段」に対応する。
【手続補正３５】
【補正対象書類名】明細書
【補正対象項目名】００５４
【補正方法】変更
【補正の内容】
【００５４】
また、制御部Ｃ２に格納されるマイクロコンピュータは、タイマ調理モード実行時、コンロバーナ１１またはグリルバーナ２１，２１の点火時から所定時間内（例えば、５分）にプラスキー３ａまたはマイナスキー３ｂを操作して消火時間をセットした場合は、そのセットした時点からタイマ機能部Ｔｓによって信号出力時間の監視を開始させる一方、所定時間内にプラスキー３ａまたはマイナスキー３ｂが操作されずに消火時間がセットされなかった場合は、所定時間経過後に補助制御部Ｃｍによって電磁弁２５を閉じ、コンロバーナ１１またはグリルバーナ２１，２１を消火させる機能を備えている。尚、タイマ調理モード実行時、所定時間内にプラスキー３ａまたはマイナスキー３ｂを操作して消火時間をセットした場合は、そのセットした時点から信号出力時間の監視を開始させる上記マイクロコンピュータの機能部が既述請求項５の発明特定事項たる制御手段に対応し、所定時間内にプラスキー３ａまたはマイナスキー３ｂが操作されなかった場合は、所定時間経過後にコンロバーナ１１またはグリルバーナ２１，２１を消火させる上記マイクロコンピュータの機能部が既述請求項７の発明特定事項たる制御手段に対応する。
【手続補正３６】
【補正対象書類名】明細書
【補正対象項目名】００５５
【補正方法】変更
【補正の内容】
【００５５】
［第１実施形態に係るガスコンロの動作の実際］
次に、上記第１実施形態に係るガスコンロにおいて、グリル２使用時の動作を説明する。
【手続補正３７】
【補正対象書類名】明細書
【補正対象項目名】００６５
【補正方法】変更
【補正の内容】
【００６５】
また、グリルバーナ２１，２１の燃焼残り時間の計測は、プラスキー３ａまたはマイナスキー３ｂを操作して消火時間をセットした時点から開始されるように設定されているから、グリル２の庫内を予め加熱しておく予熱運転や、グリル２の庫内や焼き網等に付着した油を焼き切る空焼き運転をさせた後で調理物の加熱を開始させる場合は、バーナが点火された時点から計測されるものに比べて、容易に調理物に適した消火時間を設定することができる。即ち、調理物に適した消火時間をセットする際、消火時間をバーナが点火された時点から計測するものでは、調理物に適した消火時間（例えば、８分）に上記予熱時間や空焼き時間（例えば、３分）を加えた時間をその都度計算してセットしなければならないのに対し、本実施の形態では、予熱時間や空焼き時間を意識することなく、調理物に適した消火時間（例えば、８分）をセットすればよい。
尚、上記第１実施形態に係るガスコンロの動作は、グリル２の制御動作を例示したが、コンロ１の動作を制御する場合もグリル２の制御動作と同様に、調理物に適した加熱設定時間にコンロバーナ１１を自動的に消火させたい場合は、タイマ切替キー３２２をオンにした状態で点火し、プラスキー３ａまたはマイナスキー３ｂを操作して加熱設定時間（例えば、９分）を設定すれば、制御部Ｃ２によってタイマ調理モードが実行され、その加熱設定時間に自動消火させることができる。また、上記点火後にプラスキー３ａまたはマイナスキー３ｂを操作し忘れた場合は、補助制御部Ｃｍによって安全タイマモードが実行され、グリルバーナ２１，２１が自動的に消火されるから、コンロバーナ１１が燃焼した状態で長時間放置されるのを防止できる。
【手続補正３８】
【補正対象書類名】明細書
【補正対象項目名】００６８
【補正方法】変更
【補正の内容】
【００６８】
［第２実施形態］
次に、上記した本発明を実施するための第２実施形態について詳述する。
図４は、本発明の第２実施形態に係る加熱調理器として例示するガスコンロの斜視図であり、図５はその回路構造を示す説明図である。以下、各部の詳細を説明する。
【手続補正３９】
【補正対象書類名】明細書
【補正対象項目名】００６９
【補正方法】変更
【補正の内容】
【００６９】
図４に示すように、ガスコンロ本体Ａ３は、上述の前提技術に係るガスコンロと同様に、コンロバーナ１１を有するコンロ１，１と、グリルバーナ２１，２１を有するグリル２と、操作パネル３と、点消火ボタン１２，１２，２２とを備えている。尚、上記コンロバーナ１１，１１およびグリルバーナ２１，２１が既述請求項１の発明特定事項たる熱源に対応する。
【手続補正４０】
【補正対象書類名】明細書
【補正対象項目名】００７０
【補正方法】変更
【補正の内容】
【００７０】
操作パネル３には、上記第１実施形態に係るガスコンロと同様に、プラスキー３ａおよびマイナスキー３ｂと、表示部３３と、報知出力部３４とが設けられている。尚、上記プラスキー３ａおよびマイナスキー３ｂが既述請求項１の発明特定事項たる時間設定部に対応し、報知出力部３４が既述請求項１の発明特定事項たる報知手段に対応する。
【手続補正４１】
【補正対象書類名】明細書
【補正対象項目名】００７２
【補正方法】変更
【補正の内容】
【００７２】
また、操作ユニット３１の背面部には、操作ユニット３１の着脱状態を検知する着脱センサ３２３が設けられており、操作ユニット３１をガスコンロ本体Ａ３に取り付けるとオン信号を出力し、取り外すとオン信号が出力されないように設定されている。尚、上記着脱センサ３２３が既述請求項２の発明特定事項たる着脱検知部に対応する。
【手続補正４２】
【補正対象書類名】明細書
【補正対象項目名】００７３
【補正方法】変更
【補正の内容】
【００７３】
図５に示すように、上記第１実施形態に係るガスコンロと同様、ガスコンロ本体Ａ３内には、点消火ボタン１２，１２，２２のスイッチ１２０，１２０，２２０やコンロ１およびグリル２の点火電極１３，１３，２３、燃焼センサ１４，１４，２４、電磁弁１５，１５，２５等が電気接続されるとともに、点消火ボタン１２，１２，２２を操作することによってコンロバーナ１１，１１やグリルバーナ２１，２１を点火・消火させる補助制御部Ｃｍが収容されている。
【手続補正４３】
【補正対象書類名】明細書
【補正対象項目名】００７５
【補正方法】変更
【補正の内容】
【００７５】
補助制御部Ｃｍには、コンロバーナ１１またはグリルバーナ２１，２１の点火時からの燃焼時間を監視し、その燃焼時間が過熱防止時間を経過した時点でタイムアップ信号を出力するタイマ機能部Ｔｍを備えるとともに、着脱センサ３２３からオン信号が出力されていない場合に安全タイマモードを実行するマイクロコンピュータが格納されている。上記安全タイマモード実行時に設定される過熱防止時間は、上述の前提技術における過熱防止時間と同様に設定されている。尚、上記第２実施形態における「過熱防止時間」が既述請求項３の発明特定事項たる「所定の加熱時間」に対応する。
【手続補正４４】
【補正対象書類名】明細書
【補正対象項目名】００７６
【補正方法】変更
【補正の内容】
【００７６】
制御部Ｃ３には、上記第１実施形態における制御部Ｃ２と同様、タイマ機能部Ｔｓを備えるとともに、タイマ調理モードと報知モードとを実行するマイクロコンピュータが格納されている。尚、上記タイマ機能部Ｔｓが既述請求項１の発明特定事項たるタイマ機能部に対応し、上記タイマ調理モードおよび報知モードを実行するマイクロコンピュータの機能部が既述請求項１の発明特定事項たる「実行手段」に対応する。
【手続補正４５】
【補正対象書類名】明細書
【補正対象項目名】００７７
【補正方法】変更
【補正の内容】
【００７７】
タイマ調理モード実行時に設定される信号出力時間および報知モードで設定される信号出力時間は、上記第１実施形態と同様に設定されており、プラスキー３ａおよびマイナスキー３ｂを操作することによって設定変更できる。
【手続補正４６】
【補正対象書類名】明細書
【補正対象項目名】００７８
【補正方法】変更
【補正の内容】
【００７８】
さらに、制御部Ｃ３に格納されているマイクロコンピュータは、着脱センサ３２３のオン／オフ状態に応じてタイマ調理モードと報知モードとを切り替える制御動作を実行する機能部を備えており、着脱センサ３２３からオン信号が出力されている場合はタイマ調理モードを選択し、着脱センサ３２３からオン信号が出力されていない場合は報知モードを選択するように設定されている。尚、タイマ調理モードと報知モードとの切替動作を実行する上記マイクロコンピュータの機能部が既述請求項１の発明特定事項たる「選択手段」に対応する。
【手続補正４７】
【補正対象書類名】明細書
【補正対象項目名】００７９
【補正方法】変更
【補正の内容】
【００７９】
また、制御部Ｃ３に格納されるマイクロコンピュータは、タイマ調理モード実行時、コンロバーナ１１またはグリルバーナ２１，２１の点火時から所定時間内（例えば、５分）にプラスキー３ａまたはマイナスキー３ｂを操作して消火時間をセットした場合は、そのセットした時点からタイマ機能部Ｔｓによって信号出力時間の監視を開始させる一方、所定時間内にプラスキー３ａまたはマイナスキー３ｂが操作されずに消火時間がセットされなかった場合は、所定時間経過後に補助制御部Ｃｍによって安全タイマモードを実行させ、燃焼残り時間の監視を開始させる機能を備えている。尚、タイマ調理モード実行時、所定時間内にプラスキー３ａまたはマイナスキー３ｂを操作して消火時間をセットした場合は、そのセットした時点から信号出力時間の監視を開始させる一方、所定時間内にプラスキー３ａまたはマイナスキー３ｂを操作して消火時間をセットしなかった場合は、所定時間経過後に補助制御部Ｃｍによって安全タイマモードを実行させ、燃焼残り時間の監視を開始させる上記マイクロコンピュータの機能部が既述請求項６の発明特定事項たる制御手段に対応する。
【手続補正４８】
【補正対象書類名】明細書
【補正対象項目名】００８０
【補正方法】変更
【補正の内容】
【００８０】
［第２実施形態に係るガスコンロの動作の実際］
次に、上記第２実施形態に係るガスコンロにおいて、グリル２使用時の動作を説明する。
【手続補正４９】
【補正対象書類名】明細書
【補正対象項目名】００８１
【補正方法】変更
【補正の内容】
【００８１】
操作ユニット３１をガスコンロ本体Ａ３に取り付けた状態、即ち、着脱センサ３２３からのオン信号が出力された状態でグリル２用の点消火ボタン２２を押すと、上記第１実施形態と同様、補助制御部Ｃｍによってグリルバーナ２１，２１が点火される一方、制御部Ｃ３によってタイマ調理モードが実行される。
【手続補正５０】
【補正対象書類名】明細書
【補正対象項目名】００８２
【補正方法】変更
【補正の内容】
【００８２】
グリルバーナ２１，２１の点火時から所定時間内（例えば、５分）にプラスキー３ａを操作して消火時間をセットすると、上記第１実施形態と同様に、グリルバーナ２１，２１の燃焼残り時間の監視が開始され、表示部３３には上記燃焼残り時間が表示される。そして、燃焼残り時間がゼロになった時点でグリルバーナ２１，２１を消火させる。
【手続補正５１】
【補正対象書類名】明細書
【補正対象項目名】００８５
【補正方法】変更
【補正の内容】
【００８５】
また、燃焼センサ２４からの燃焼信号が出力されているか否かにかかわらず、着脱センサ３２３からのオン信号が出力されていない場合は、制御部Ｃ３によって報知モードが実行され、上記第１実施形態と同様に、報知タイマ残り時間の監視が開始され、報知タイマ残り時間がゼロになった時点で報知出力部３４から報知音を出力させる。
【手続補正５２】
【補正対象書類名】明細書
【補正対象項目名】００８９
【補正方法】変更
【補正の内容】
【００８９】
また、グリルバーナ２１，２１の燃焼残り時間の計測は、上記第１実施形態と同様に、プラスキー３ａまたはマイナスキー３ｂを操作して消火時間をセットした時点から開始されるように設定されているから、予熱運転や空焼き運転をさせた後で調理物の加熱を開始させる場合は、バーナが点火された時点から計測されるものに比べて、容易に調理物に適した消火時間を設定することができる。
尚、上記第２実施形態に係るガスコンロの動作は、グリル２の制御動作を例示したが、コンロ１の動作を制御する場合もグリル２の制御動作と同様に、調理物に適した加熱設定時間にコンロバーナ１１を自動的に消火させたい場合は、操作ユニット３１をガスコンロ本体Ａ３に取り付けた状態で点火し、プラスキー３ａまたはマイナスキー３ｂを操作して加熱設定時間（例えば、９分）を設定すれば、制御部Ｃ３によってタイマ調理モードが実行され、その加熱設定時間に自動消火させることができる。また、上記点火後にプラスキー３ａまたはマイナスキー３ｂを操作し忘れた場合は、補助制御部Ｃｍによって安全タイマモードが実行され、グリルバーナ２１，２１が自動的に消火されるから、被加熱物が過熱状態で放置されるのを防止できる。
【手続補正５３】
【補正対象書類名】明細書
【補正対象項目名】００９１
【補正方法】削除
【補正の内容】
【手続補正５４】
【補正対象書類名】明細書
【補正対象項目名】００９２
【補正方法】削除
【補正の内容】
【手続補正５５】
【補正対象書類名】明細書
【補正対象項目名】００９３
【補正方法】変更
【補正の内容】
【００９３】
［その他］
尚、上記第１実施形態における制御部Ｃ２は、タイマ調理モード実行時、バーナが点火された状態でプラスキー３ａやマイナスキー３ｂの時間設定部によって消火時間をセットした時点で燃焼残り時間の監視を開始する一方、所定時間内に消火時間がセットされなかった場合はバーナを消火させるように設定されているが、上述の前提技術と同様に、タイマ調理モード実行時、バーナが点火された時点で燃焼残り時間の監視を開始するように設定されたものであっても良い。この場合、バーナが点火された時点で燃焼残り時間の監視を開始する制御部Ｃ２に組み込まれたマイクロコンピュータの機能部が既述請求項４の発明特定事項たる制御手段に対応する。また、上記第２実施形態と同様に、タイマ調理モード実行時、バーナが点火された状態で時間設定部によって消火時間をセットした時点で燃焼残り時間の監視を開始する一方、所定時間内に消火時間がセットされなかった場合は安全タイマモードによる燃焼残り時間の監視を開始させるように設定されたものであっても良い。
【手続補正５６】
【補正対象書類名】明細書
【補正対象項目名】００９４
【補正方法】変更
【補正の内容】
【００９４】
上記第２実施形態における制御部Ｃ３についても、上述の前提技術と同様に、タイマ調理モード実行時、バーナが点火された時点で燃焼残り時間の監視を開始するように設定されたものであっても良いし、上記第１実施形態と同様に、タイマ調理モード実行時、バーナが点火された状態で時間設定部によって消火時間をセットした時点で燃焼残り時間の監視を開始する一方、所定時間内に消火時間がセットされなかった場合はバーナを消火させるように設定されたものであっても良い。
【手続補正５７】
【補正対象書類名】明細書
【補正対象項目名】００９５
【補正方法】変更
【補正の内容】
【００９５】
さらに、上記第１実施形態では、加熱設定時間の計時中に切替スイッチをオフにした場合（第２実施形態においては操作ユニットを取り付けた場合）も継続して加熱設定時間を計測するが、加熱設定時間の計時中に切替スイッチをオフにした場合（第２実施形態においては操作ユニットを取り付けた場合）は、安全タイマモードに切り替えて過熱防止時間の計時を開始させるものであっても良い。
【手続補正５８】
【補正対象書類名】明細書
【補正対象項目名】００９６
【補正方法】削除
【補正の内容】
【手続補正５９】
【補正対象書類名】明細書
【補正対象項目名】００９８
【補正方法】変更
【補正の内容】
【００９８】
【図１】本発明の前提技術に係る加熱調理器として例示するガスコンロの斜視図
【図２】本発明の前提技術に係る加熱調理器として例示するガスコンロの回路構造を示す説明図
【図３】本発明の第１実施形態に係る加熱調理器として例示するガスコンロの回路構造を示す説明図
【図４】本発明の第２実施形態に係る加熱調理器として例示するガスコンロの斜視図
【図５】本発明の第２実施形態に係る加熱調理器として例示するガスコンロの回路構造を示す説明図
【図６】従来例の加熱調理器として例示するガスコンロの斜視図
【手続補正６０】
【補正対象書類名】図面
【補正対象項目名】図６
【補正方法】変更
【補正の内容】
【図６】
2008202935.tif 000012
【手続補正６１】
【補正対象書類名】図面
【補正対象項目名】図７
【補正方法】削除
【補正の内容】
【手続補正６２】
【補正対象書類名】図面
【補正対象項目名】図８
【補正方法】削除
【補正の内容】
【手続補正６３】
【補正対象書類名】図面
【補正対象項目名】図９
【補正方法】削除
【補正の内容】